(57)【要約】【課題】キッチンキャビネット内に生ゴミ処理機を設置すると、収納部の利用可能な容積が少なくなる。【解決手段】キッチンキャビネットＫのメインユニット１の背面側に非作業領域に臨む対面ユニット２０を設け、その内部２１に生ゴミ処理機１０を設置し、背面部２０ａに開口部２０ｂを形成し、上下に分割した扉２３，２４を取り付ける。対面ユニット２０の正面部２０ｃには生ゴミ投入口２２を形成する。メインキャビネット１内の収納部Ｓを広く利用でき、引き出し４の取り付けが可能である。処理物の取り出しや生ゴミ処理機１０の点検を非作業領域側から行えるので作業性がよい。【選択図】      図１
2005110980.tif 000002
【特許請求の範囲】
【請求項１】
台所等の作業領域とダイニングルーム等の非作業領域との間に配置されるキッチンキャビネットにおける非作業領域側に、内部に収納空間を有する対面ユニットが設けられ、該対面ユニット内に生ゴミ処理機が設置され、該生ゴミ処理機の点検口が前記対面ユニットに設けられていることを特徴とする生ゴミ処理機付きキッチンキャビネット。
【請求項２】
台所等の作業領域とダイニングルーム等の非作業領域との間に配置されるキッチンキャビネットにおける非作業領域側に、内部に収納空間を有する対面ユニットが設けられ、該対面ユニット内に生ゴミ処理機が設置され、該生ゴミ処理機の処理物取り出し口が前記対面ユニットに設けられていることを特徴とする生ゴミ処理機付きキッチンキャビネット。
【請求項３】
台所等に配置されるキッチンキャビネットにおいて、底板よりも下側の領域に蹴込みが設けられ、該蹴込み部分の裏面側領域に生ゴミ処理機が設置されていることを特徴とする生ゴミ処理機付きキッチンキャビネット。
【請求項４】
台所等に配置されるキッチンキャビネットにおいて、キャビネットの収納部を上下に区画する仕切板が設けられ、該仕切板よりも下側の領域に生ゴミ処理機が設置されていることを特徴とする生ゴミ処理機付きキッチンキャビネット。
【請求項５】
前記生ゴミ処理機は、手前側へ引き出し可能に構成されている請求項３又は４に記載する生ゴミ処理機付きキッチンキャビネット。
【請求項６】
台所等に配置されるキッチンキャビネットにおいて、キャビネットの収納部に設置した生ゴミ処理機の胴体部に溝部が形成され、棚板に形成した凹部を前記生ゴミ処理機の溝部に嵌合させたことを特徴とする生ゴミ処理機付きキッチンキャビネット。
【発明の詳細な説明】
【技術分野】
【０００１】
本発明は、台所などに設置されるキッチンキャビネットであって、生ゴミ処理機を組み込んだものに関する。
【背景技術】
【０００２】
特許文献１に、台所に設置されるキッチンキャビネットの収納部内に、生ゴミ処理機を組み込んだものが記載されている。
【特許文献１】特開平９−３８６２２号公報
【発明の開示】
【発明が解決しようとする課題】
【０００３】
特許文献１に記載されたキッチンキャビネットは、組み込んだ生ゴミ処理機によって内部空間の大部分が使用され、物品収納用として利用できる空間がごくわずかしか残されていないという問題がある。また、内部に設置した生ゴミ処理機のため、棚板を設置することが困難であった。
【課題を解決するための手段】
【０００４】
前記従来の問題を解決するために創案した本発明に係る生ゴミ処理機付きキッチンキャビネットの特徴とするところは、台所等の作業領域とダイニングルーム等の非作業領域との間に配置されるキッチンキャビネットにおける非作業領域側に、内部に収納空間を有する対面ユニットを設け、該対面ユニット内に生ゴミ処理機を設置し、該生ゴミ処理機の点検口を前記対面ユニットに設けたことである。
【０００５】
あるいは、台所等の作業領域とダイニングルーム等の非作業領域との間に配置されるキッチンキャビネットにおける非作業領域側に、内部に収納空間を有する対面ユニットを設け、該対面ユニット内に生ゴミ処理機を設置し、該生ゴミ処理機の処理物取り出し口を前記対面ユニットに設けたことである。
【０００６】
また、台所等に配置されるキッチンキャビネットにおいて、底板よりも下側の領域に蹴込みを設け、該蹴込み部分の裏面側領域に生ゴミ処理機を設置することも可能である。さらには、キャビネットの収納部を上下に区画する仕切板を設け、該仕切板よりも下側の領域に生ゴミ処理機を設置する構成も可能である。
【０００７】
なお前記の場合、生ゴミ処理機を、手前側へ引き出し可能に構成することが望ましい。
【０００８】
さらに、台所等に配置されるキッチンキャビネットにおいて、キャビネットの収納部に設置した生ゴミ処理機の胴体部に溝部を形成し、棚板に形成した凹部を前記生ゴミ処理機の溝部に嵌合させることも考えられる。
【発明の効果】
【０００９】
台所等の作業領域とダイニングルーム等の非作業領域との間に配置されるいわゆる対面式キッチンキャビネットにおいて、対面ユニット内に生ゴミ処理機を設置した場合は、キャビネット内部の作業領域側空間を収納部として広く利用することができる。また、対面ユニットに生ゴミ処理機の点検口または処理物取り出し口を設けたことにより、ダイニングルーム等の広い非作業領域側から、処理機の点検作業や処理物の取り出し作業を行えるので、作業性に優れる。
【００１０】
底板よりも下側の領域に蹴込みを設け、該蹴込み部分の裏面側領域に生ゴミ処理機を設置した場合は、底板の上方空間全体を収納部として利用可能なので、収容能力の大きい生ゴミ処理機付きキッチンキャビネットを提供できる。キャビネットの収納部を上下に区画する仕切板を設け、該仕切板よりも下側の領域に生ゴミ処理機を設置する構成を採用した場合は、生ゴミ処理機が大型であっても、広い収納空間をキャビネット内に確保できる。
【００１１】
さらに、前記の場合において、生ゴミ処理機を手前側へ引き出し可能に構成することにより、点検作業や処理物の取り出し作業が容易になる。
【００１２】
キッチンキャビネットの収納部に設置した生ゴミ処理機の胴体部に溝部を形成し、棚板に形成した凹部を前記生ゴミ処理機の溝部に嵌合させた場合は、収納部内に棚板を設置するのが簡単になり、しかも棚板の耐荷重強度を向上させることができる。
【発明を実施するための最良の形態】
【００１３】
［第１の実施形態］
図１及び図２に、本発明に係る生ゴミ処理機付きキッチンキャビネットＫの一実施形態を示す。図示するキッチンキャビネットＫは、台所等の作業領域とダイニングルームやリビングルーム等の非作業領域との間に配置されて、いわゆる対面式キッチンユニットを構成するものであって、作業領域に臨み、流し２や水栓器具３が備えられたメインユニット１と、その背面側に設けられ、非作業領域に臨む対面ユニット２０とから成っている。
【００１４】
前記キッチンキャビネットＫは、対面ユニット２０の内部２１に生ゴミ処理機１０を設置し、図２に示す如く、対面ユニット２０における非作業領域に臨む背面部２０ａに、内部２１の生ゴミ処理機１０に通ずる開口部２０ｂを形成し、この開口部２０ｂに上下に分割した扉２３，２４を取り付けた。また、対面ユニット２０における作業領域に臨む正面部２０ｃに、生ゴミ処理機１０とダクト１３で接続される生ゴミ投入口２２を形成し、該生ゴミ投入口２２には蓋１４が装着される。
【００１５】
前記キッチンキャビネットＫは、かかる構成により、対面ユニット２０内に生ゴミ処理機１０を設置したので、メインキャビネット１内の収納部Ｓを広く利用することができ、それ故、図示するような引き出し４，４を取り付けることが可能である。また使用者は、作業領域側から生ゴミを投入することができ、生成される処理物の取り出しを、対面ユニット２０の開口部２０ｂを通じて非作業領域側から行うことが可能なので、作業性が非常によい。さらに必要時には、生ゴミ処理機１０の点検も非作業領域側から行うことができるので、能率がよい。
【００１６】
なお本例では、開口部２０ｂに取着する扉２３，２４を上下に分割したので、例えば生ゴミ処理機１０が、生ゴミを処理する処理機能部１１が上側に設けられ、生成された処理物を貯える貯蔵部１２が下側に設けられており、処理機能部１１については点検口１１ａが、貯蔵部１２については取り出し口１２ａがそれぞれ表面部に形成されている場合、処理機能部１１の点検時には上側の扉２３だけを開ければよく、処理物の取り出し時には下側の扉２４だけを開ければよいという利点が得られる。
【００１７】
［第２の実施形態］
図３に示すように、本例は、蹴込み部８を有するキッチンキャビネットＫにおいて、該蹴込み部８の上方に底板４を配設し、この底板４の下側であって蹴込み部８の裏面側領域に、生ゴミ処理機１０を設置したところを特色とする。かかる構成により、キッチンキャビネットＫ内部における底板４上の空間を収納部Ｓとして利用できるから、収容力の優れたキッチンキャビネットＫを提供することが可能となる。
【００１８】
なお本例では、生ゴミ処理機１０を、蹴込み部８前面を構成する幅木９と共に引き出し可能にし、生ゴミ処理機１０を引き出した状態で生ゴミの投入ができるように構成した。また必要に応じ、底板４に点検口６を形成し、該点検口６を蓋７で着脱可能に覆う構造を採用してもよい。また、流し２に接続される排水トラップＴを、図示のように床下へ配置する構造を採用すれば、収納部Ｓの容積をより一層拡大することができる。
【００１９】
［第３の実施形態］
生ゴミ処理機１０が比較的大型の場合、図４に示す如く、キッチンキャビネットＫの内部を上下に区画する仕切板３０を設け、該仕切板３０の下側であり且つ蹴込み部８の裏面側を含む領域に、生ゴミ処理機１０を設置する。かかる構成により、大型の生ゴミ処理機１０であっても、蹴込み部８を収納空間として利用したから、仕切板３０上の空間を比較的大きい収納部Ｓとして利用することが可能となる。
【００２０】
なお本例においても、生ゴミ処理機１０を、蹴込み部８の幅木９及び前板の一部３１と共に引き出し可能にして、生ゴミ処理機１０を引き出した状態で生ゴミの投入ができるように構成することが望ましい。
【００２１】
［第４の実施形態］
図５及び図６に示すキッチンキャビネットＫは、収納部Ｓ内に生ゴミ処理機１０を設置した場合、収納部Ｓに棚板を設けるのが困難になるという問題を解決したものである。本例では、生ゴミ処理機１０の側周面に溝１３を形成すると共に、図６のように棚板３２に凹部３３を形成する。そして、生ゴミ処理機１０の上記溝１３に、棚板３２の凹部３３を嵌合させることにより、棚板３２をキッチンキャビネットＫの収納部Ｓに設置することができる。
【００２２】
かかる構成によれば、棚板３２の荷重を生ゴミ処理機１０によって支持することができるから、耐荷重強度の大きい棚板構造を提供できるという利点も得られる。
【図面の簡単な説明】
【００２３】
【図１】本発明に係る生ゴミ処理機付きキッチンキャビネットの第１の実施形態を示す側面断面図である。
【図２】本発明に係る生ゴミ処理機付きキッチンキャビネットの第１の実施形態を示す背面側から見た斜視図である。
【図３】本発明に係る生ゴミ処理機付きキッチンキャビネットの第２の実施形態を示す側面断面図である。
【図４】本発明に係る生ゴミ処理機付きキッチンキャビネットの第３の実施形態を示す側面断面図である。
【図５】本発明に係る生ゴミ処理機付きキッチンキャビネットの第４の実施形態を示す側面断面図である。
【図６】本発明に係る生ゴミ処理機付きキッチンキャビネットの第４の実施形態を示す要部の斜視図である。
【符号の説明】
【００２４】
Ｋ…生ゴミ処理機付きキッチンキャビネット
Ｓ…収納部
１…メインユニット
５…底板
８…蹴込み部
１０…生ゴミ処理機
１１ａ…点検口
１２ａ…取り出し口
１３…溝部
２０…対面ユニット
３０…仕切板
３２…棚板
３３…凹部
【図１】
2005110980.tif 000003
【図２】
2005110980.tif 000004
【図３】
2005110980.tif 000005
【図４】
2005110980.tif 000006
【図５】
2005110980.tif 000007
【図６】
2005110980.tif 000008